(57)【要約】  【課題】  従来のプッシュ・プル型溶接ワイヤ送給装置は、溶接電力を供給するためにキャプタイヤケーブルが必要なため、溶接電源に応じてキャプタイヤケーブルの太さが変わり、溶接電源の種類に合わせてプッシュ・プル型溶接ワイヤ送給装置を準備する必要があり、煩雑で、また、キャプタイヤケーブルが備えられているために小型化が困難であるという課題を有していた。  【解決手段】  溶接ワイヤ送給手段保持金具８として導電性の部材を用い、溶接ワイヤ送給手段保持金具８の取付け金具６，７と接触する部分の少なくとも一部を除き、前記溶接ワイヤ送給手段保持金具８の表面に絶縁処理を施し、この溶接ワイヤ送給手段保持金具８に直接電気を流すようにする。【選択図】  図１
2006000919.tif 000002
【特許請求の範囲】
【請求項１】
溶接ワイヤを引っ張るためのプルモータと、前記溶接ワイヤを引っ張り送給するための送給ローラと、溶接ワイヤに加圧をかけるための加圧機構と、溶接ワイヤ送給経路上のケーブルを取り付けるための取り付け金具と、少なくとも前記送給ローラと加圧機構を保持する溶接ワイヤ送給手段保持金具を備え、前記溶接ワイヤ送給手段保持金具として導電性の部材を用い、前記溶接ワイヤ送給手段保持金具の取付け金具と接触する部分の少なくとも一部を除き、前記溶接ワイヤ送給手段保持金具の表面に絶縁処理を施したプッシュ・プル型溶接ワイヤ送給装置。
【請求項２】
溶接ワイヤ送給手段保持金具の取付け金具と接触する部分として穴を設け、前記穴に嵌合する凸部を取付金具に設け、前記穴と凸部に絶縁処理を施さない請求項１記載のプッシュ・プル型溶接ワイヤ送給装置。
【発明の詳細な説明】
【技術分野】
【０００１】
本発明は、溶接装置に用いるプッシュ・プル型溶接ワイヤ送給装置に関するものである。
【背景技術】
【０００２】
従来のプッシュ・プル型溶接ワイヤ送給装置は、溶接トーチ近傍にプルモータで駆動するプル送給装置を配置しており、溶接ケーブルがこの部分で途切れるため、溶接電力を溶接トーチに供給するために通電用のキャプタイヤケーブルをプル送給装置内部に備えている（例えば特許文献１参照）。
【０００３】
プッシュ・プル型ワイヤ送給装置を用いた溶接装置について図２を用いて説明する。
図２において溶接装置は、溶接ワイヤ１０１を巻回した状態で収容・保持する溶接ワイヤ容器１０２からワイヤガイド管１０３を経て溶接トーチ１０４に至るワイヤ送給経路の途中に、溶接トーチ１０４に近い位置に配したプル送給装置１０５と、溶接ワイヤ容器１０２に近い位置に配したプッシュ送給装置１０６を備えた、いわゆるプッシュ・プル溶接ワイヤ送給系となっている。
アーク溶接電源１０７はガスボンベ１０８内のシールドガスを溶接トーチ１０４の先端部から被溶接体１０９に向かって噴出させ、溶接部を不活性ガスでシールドするとともに、溶接トーチ１０４先端部に設けたコンタクトチップ１１０を介して消耗電極である溶接ワイヤ１０１と被溶接体１０９との間に指示された電圧を印加して、溶接ワイヤ１０１の先端と被溶接体１０９との間にアーク放電を生じさせて溶接を行うようにしている。
プル送給装置１０５は溶接条件で決定される所定のワイヤ送給速度で溶接ワイヤ１０１を溶接トーチ１０４に送出するように送給制御装置１１１よって速度制御され、プッシュ送給装置１０８はトルクリミッター（図示せず）の作用によって一定の送給力で溶接ワイヤ１０１をプル送給装置１０５に向かって送出するようにしている。
したがって、プッシュ装置１０６は溶接ワイヤ容器１０２から溶接ワイヤ１０１を引き出す為に生じる送給抵抗力やワイヤガイド管１０３の内面と溶接ワイヤ１０１の摩擦によって生じる送給抵抗力を減殺し、プル送給装置１０５が高精度にワイヤ速度の制御が可能となるようにプル送給装置１０５を補助するように作用している。
次に、この溶接装置のプル送給装置１０５について図３を用いて説明する。
図３において、１２１は溶接ワイヤ送給装置から送給されてきた溶接ワイヤを引っ張るためのプルモータ、１２２は溶接ワイヤを引っ張り、さらに送給するためのプル側の送給ローラ、１２３、１２４、１２５はそれぞれ溶接ワイヤに加圧をかけるための加圧ローラ、加圧アーム、加圧ロッド、１２６は溶接ワイヤ送給経路上のケーブルを取り付けるための入口側取り付け金具、１２７は出口側取り付け金具、１２８は、前述の各構成部品を保持するための溶接ワイヤ送給手段保持金具、１２９は溶接電力を溶接トーチに供給するためのキャプタイヤケーブルである。
【特許文献１】特開２００３−３９１６９号公報
【発明の開示】
【発明が解決しようとする課題】
【０００４】
しかし、従来のプッシュ・プル型溶接ワイヤ送給装置は、溶接電力を供給するためにキャプタイヤケーブルが必要となる。そのため、溶接電源に応じて（溶接電源から供給される溶接電流に対応する）キャプタイヤケーブルの太さが変わり、溶接電源の種類に合わせてプッシュ・プル型溶接ワイヤ送給装置を準備する必要があり、煩雑で、また、キャプタイヤケーブルが備えられているために小型化が困難であるという課題を有していた。
【０００５】
本発明は、様々な溶接電源に接続可能である小型のプッシュ・プル型溶接ワイヤ送給装置を提供することを目的とする。
【課題を解決するための手段】
【０００６】
上記課題を解決するために本発明のプッシュ・プル型溶接ワイヤ送給装置は、溶接ワイヤを引っ張るためのプルモータと、前記溶接ワイヤを引っ張り送給するための送給ローラと、溶接ワイヤに加圧をかけるための加圧機構と、溶接ワイヤ送給経路上のケーブルを取り付けるための取り付け金具と、少なくとも前記送給ローラと加圧機構を保持する溶接ワイヤ送給手段保持金具を備え、前記溶接ワイヤ送給手段保持金具として導電性の部材を用い、前記溶接ワイヤ送給手段保持金具の取付け金具と接触する部分の少なくとも一部を除き、前記溶接ワイヤ送給手段保持金具の表面に絶縁処理を施したものである。なお、溶接ワイヤ送給手段保持金具には穴を設け、前記穴に嵌合する凸部を取付け金具に設けたものも含む。
【０００７】
本構成によって、溶接電力を供給するためのキャプタイヤケーブルを必要とせず、そして、溶接ワイヤ送給手段保持金具の表面の絶縁性を確保した小型・軽量化が可能なプッシュ・プル型溶接ワイヤ送給装置を提供することができる。
【発明の効果】
【０００８】
以上のように、本発明は溶接ワイヤ送給手段保持金具として導電性の部材を用い、また、溶接ワイヤ送給手段保持金具の取付け金具と接触する部分の少なくとも一部を除き、前記溶接ワイヤ送給手段保持金具の表面に絶縁処理を施したことにより、キャプタイヤケーブルを備えることなく、絶縁性を確保した小型・軽量化が可能なプッシュ・プル型溶接ワイヤ送給装置を構成することができる。
【発明を実施するための最良の形態】
【０００９】
（実施の形態）
以下、本発明の実施の形態について、図１を用いて説明する。
【００１０】
なお、溶接装置における本発明のプッシュ・プル型溶接ワイヤ送給装置の配置などは図２で説明したものと変わらないのでその説明を省略する。
【００１１】
図１において、１は溶接ワイヤ送給装置から送給されてきた溶接ワイヤを引っ張るためのプルモータ、２は溶接ワイヤを引っ張り、さらに送給するためのプル側の送給ローラ、３、４、５はそれぞれ溶接ワイヤに加圧をかけるための加圧ローラ、加圧アーム、加圧ロッド、６は溶接ワイヤ送給経路上のケーブルを取り付けるための入口側取り付け金具、７は出口側取り付け金具、８は前述の各構成部品を保持するための溶接ワイヤ送給手段保持金具、そして、溶接ワイヤ送給手段保持金具８と入口側ケーブル取り付け金具６、出口側ケーブル取り付け金具７との締結は、入口側ケーブル取り付け金具６の凸部６ａと出口側ケーブル取り付け金具７の凸部７ａを溶接ワイヤ送給手段保持金具８に設けた穴８ａ、８ｂに嵌合し、圧迫することによりすることにより行う。
【００１２】
溶接ワイヤ送給手段保持金具８は、例えばアルミニウムのような導電性の部材を用い、その表面のみにアルマイト処理のような絶縁処理を施すことにより表面の絶縁性を確保する。
【００１３】
入口側ケーブル取り付け金具６、出口側ケーブル取り付け金具７と嵌合している部分は絶縁処理を施さないので、この部分から溶接電力を供給することになるが、上記のようなケーブル取り付け金具６、７の凸部６ａ、７ａを溶接ワイヤ送給手段保持金具８に設けた穴８ａ、８ｂに嵌合し、圧迫して締結することにより通電面積が確保できるため、従来のようなキャプタイヤケーブルを必要とせずに、溶接ワイヤ送給経路の出口側に溶接電力を供給することができるようになる。
【産業上の利用可能性】
【００１４】
本発明のプッシュ・プル型溶接ワイヤ送給装置は、キャプタイヤケーブルを用いることなく溶接電力を供給することにより小型・軽量化ができ、溶接機分野等において産業上有用である。
【図面の簡単な説明】
【００１５】
【図１】本発明の実施の形態におけるプッシュ・プル型溶接ワイヤ送給装置のプル側の概要図
【図２】プッシュ・プル型ワイヤ送給装置を用いた溶接装置の概要図
【図３】従来のプッシュ・プル型溶接ワイヤ送給装置のプル側の概要図
【符号の説明】
【００１６】
１  プルモータ
２  送給ローラ
３  加圧ローラ
４  加圧アーム
５  加圧ロッド
６  入口側ケーブル取り付け金具
７  出口側ケーブル取り付け金具
８  溶接ワイヤ送給手段保持金具
９  キャプタイヤケーブル
【図１】
2006000919.tif 000003
【図２】
2006000919.tif 000004
【図３】
2006000919.tif 000005